(57)【特許請求の範囲】
【請求項１】
パケット網を介したＩＴＵ−Ｔ勧告Ｔ．３８に基づいたやりとりにより相手先装置と通信を行う通信端末装置において、
前記相手先装置に対してパケット化Ｔ．３０信号を送信してからその信号に応じたパケット化Ｔ．３０信号を受信するまでの待ち時間を、前記相手先装置がＩＴＵ−Ｔ勧告Ｔ．３８準拠の通信端末装置である場合には、第１の待ち時間に設定し、前記相手先装置がＩＴＵ−Ｔ勧告Ｔ．３８準拠の通信端末装置でない場合には前記第１の待ち時間より長い第２の待ち時間に設定する待ち時間設定手段と、
前記相手先装置に対してパケット化Ｔ．３０信号を送信した後、当該送信した信号について前記待ち時間設定手段により設定された待ち時間が経過するまで、当該送信した信号に応じたパケット化Ｔ．３０信号の受信を待つ信号送受信制御手段と
を備えたことを特徴とする通信端末装置。
【請求項２】
パケット網を介したＩＴＵ−Ｔ勧告Ｔ．３８に基づいたやりとりにより相手先装置と通信を行う通信端末装置において、
前記相手先装置からパケット化Ｔ．３０信号を受信してからその受信した信号に応じたパケット化Ｔ．３０信号を送信するまでの待ち時間を、前記相手先装置がＩＴＵ−Ｔ勧告Ｔ．３８準拠の通信端末装置である場合には、第１の待ち時間に設定し、前記相手先装置がＩＴＵ−Ｔ勧告Ｔ．３８準拠の通信端末装置でない場合には前記第１の待ち時間より長い第２の待ち時間に設定する待ち時間設定手段と、
前記相手先装置からパケット化Ｔ．３０信号を受信すると、その受信した信号について前記待ち時間設定手段により設定された待ち時間待った後、当該受信した信号に応じたパケット化Ｔ．３０信号を送信する信号送受信制御手段と
を備えたことを特徴とする通信端末装置。
【請求項３】
パケット網を介したＩＴＵ−Ｔ勧告Ｔ．３８に基づいたやりとりにより相手先装置と通信を行う通信端末装置において、
前記相手先装置に対してパケット化Ｔ．３０信号を送信してからその信号に応じたパケット化Ｔ．３０信号を受信するまでの待ち時間を、前記相手先装置がＩＴＵ−Ｔ勧告Ｔ．３８準拠のゲートウェイ装置である場合に前記相手先装置が電話回線を介してＧ３ファクシミリ装置との間でモデム信号化されたＴ．３０信号をやりとりするために生じる遅延を考慮した時間に設定する待ち時間設定手段と、
前記相手先装置に対してパケット化Ｔ．３０信号を送信した後、当該送信した信号について前記待ち時間設定手段により設定された待ち時間が経過するまで、当該送信した信号に応じたパケット化Ｔ．３０信号の受信を待つ信号送受信制御手段とを備えたことを特徴とする通信端末装置。
【請求項４】
パケット網を介したＩＴＵ−Ｔ勧告Ｔ．３８に基づいたやりとりにより相手先装置と通信を行う通信端末装置において、
前記相手先装置からパケット化Ｔ．３０信号を受信してからその受信した信号に応じたパケット化Ｔ．３０信号を送信するまでの待ち時間を、前記相手先装置がＩＴＵ−Ｔ勧告Ｔ．３８準拠のゲートウェイ装置である場合に前記相手先装置が電話回線を介してＧ３ファクシミリ装置との間でモデム信号化されたＴ．３０信号をやりとりするために生じる遅延を考慮した時間に設定する待ち時間設定手段と、
前記相手先装置からパケット化Ｔ．３０信号を受信すると、その受信した信号について前記待ち時間設定手段により設定された待ち時間待った後、当該受信した信号に応じたパケット化Ｔ．３０信号を送信する信号送受信制御手段とを備えたことを特徴とする通信端末装置。
【請求項５】
前記待ち時間設定手段は、前記相手先装置との間でやりとりされる各Ｔ．３０信号ごとに前記待ち時間を設定することを特徴とする請求項１ないし４のいずれかに記載の通信端末装置。
【請求項６】
各相手先毎の待ち時間を予め記憶した相手先別待ち時間設定テーブルを更に備え、前記待ち時間設定手段は、前記待ち時間を、現在通信中の相手先に対応して前記相手先別待ち時間設定テーブルに記憶されている待ち時間に設定することを特徴とする請求項１ないし４のいずれかに記載の通信端末装置。
【請求項７】
前記待ち時間設定手段は、前記相手先装置との間の通信途中に通信断となった場合に、前記待ち時間をそれまでの設定時間よりも長めに設定変更することを特徴とする請求項１ないし４のいずれかに記載の通信端末装置。
【請求項８】
前記待ち時間設定手段は、パケット化されたディジタル送信命令信号ＤＣＳを送信してから受信準備確認信号ＣＦＲを受信するまでの待ち時間を、前記相手先装置がＩＴＵ−Ｔ勧告Ｔ．３８準拠のゲートウェイ装置である場合に前記相手先装置が電話回線を介してＧ３ファクシミリ装置にモデム信号化されたトレーニングチェック信号ＴＣＦを送信し、それに対して前記Ｇ３ファクシミリ装置からモデム信号化された受信準備確認信号ＣＦＲを受信するために生じる遅延を考慮した時間に設定するものであることを特徴とする請求項１または３のいずれかに記載の通信端末装置。
【請求項９】
前記待ち時間設定手段は、前記相手先装置からパケット化されたディジタル送信命令信号ＤＣＳを受信してから受信準備確認信号ＣＦＲを送信するまでの待ち時間を、前記相手先装置がＩＴＵ−Ｔ勧告Ｔ．３８準拠のゲートウェイ装置である場合に前記相手先装置が電話回線を介してＧ３ファクシミリ装置からモデム信号化されたトレーニングチェック信号ＴＣＦを受信するために要する時間を考慮した時間に設定するものであることを特徴とする請求項２または４のいずれかに記載の通信端末装置。
【請求項１０】
切断命令信号ＤＣＮを送信してから、前記パケット網を介した通信のセッションをクローズするまでの待ち時間を、前記相手先装置がＩＴＵ−Ｔ勧告Ｔ．３８準拠のゲートウェイ装置である場合に前記相手先装置が電話回線を介してＧ３ファクシミリ装置にモデム信号化された切断命令信号ＤＣＮを送信するために要する時間を考慮した時間に設定する通信クローズ待ち時間設定手段と、
前記切断命令信号ＤＣＮを前記相手先装置に送信してから前記クローズ待ち時間設定手段により設定された待ち時間待った後に、前記相手先装置との間の通信のセッションをクローズする通信クローズ制御手段とを更に備えたことを特徴とする請求項１または３のいずれかに記載の通信端末装置。
【請求項１１】
前記待ち時間設定手段は、
前記相手先装置に対してパケット化Ｔ．３０信号を送信してからその信号に応じたパケット化Ｔ．３０信号を受信するまでの待ち時間を、
前記相手先装置がＩＴＵ−Ｔ勧告Ｔ．３８準拠のゲートウェイ装置である場合には、前記相手先装置がゲートウェイ装置である場合に前記相手先装置が電話回線を介してＧ３ファクシミリ装置とモデム信号化されたＴ．３０信号をやりとりするために生じる遅延を考慮した時間に設定する一方、
前記相手先装置がＩＴＵ−Ｔ勧告Ｔ．３８準拠の通信端末装置である場合には、前記相手先装置がＩＴＵ−Ｔ勧告Ｔ．３８準拠のゲートウェイ装置である場合に前記相手先装置が電話回線を介してＧ３ファクシミリ装置とモデム信号化されたＴ．３０信号をやりとりするために生じる遅延を考慮しない時間に設定するものであることを特徴とする請求項１または３のいずれかに記載の通信端末装置。
【請求項１２】
前記待ち時間設定手段は、
前記相手先装置からパケット化Ｔ．３０信号を受信してからその受信した信号に応じたパケット化Ｔ．３０信号を送信するまでの待ち時間を、
前記相手先装置がＩＴＵ−Ｔ勧告Ｔ．３８準拠のゲートウェイ装置である場合には、前記相手先装置がゲートウェイ装置である場合に前記相手先装置が電話回線を介してＧ３ファクシミリ装置とモデム信号化されたＴ．３０信号をやりとりするために生じる遅延を考慮した時間に設定する一方、
前記相手先装置がＩＴＵ−Ｔ勧告Ｔ．３８準拠の通信端末装置である場合には、前記相手先装置がＩＴＵ−Ｔ勧告Ｔ．３８準拠のゲートウェイ装置である場合に前記相手先装置が電話回線を介してＧ３ファクシミリ装置とモデム信号化されたＴ．３０信号をやりとりするために生じる遅延を考慮しない時間に設定するものであることを特徴とする請求項２または４のいずれかに記載の通信端末装置。
【請求項１３】
パケット網を介したＩＴＵ−Ｔ勧告Ｔ．３８に基づいたやりとりにより相手先装置と通信を行う通信端末装置の制御方法において、
前記相手先装置に対してパケット化Ｔ．３０信号を送信してからその信号に応じたパケット化Ｔ．３０信号を受信するまでの待ち時間を、
前記相手先装置がＩＴＵ−Ｔ勧告Ｔ．３８準拠の通信端末装置である場合には、第１の待ち時間に設定し、
前記相手先装置がＩＴＵ−Ｔ勧告Ｔ．３８準拠の通信端末装置でない場合には前記第１の待ち時間より長い第２の待ち時間に設定し、
前記相手先装置に対してパケット化Ｔ．３０信号を送信した後、当該送信した信号について前記設定された待ち時間が経過するまで、当該送信した信号に応じたパケット化Ｔ．３０信号の受信を待つ
ことを特徴とする通信端末装置の制御方法。
【請求項１４】
パケット網を介したＩＴＵ−Ｔ勧告Ｔ．３８に基づいたやりとりにより相手先装置と通信を行う通信端末装置の制御方法において、
前記相手先装置からパケット化Ｔ．３０信号を受信してからその受信した信号に応じたパケット化Ｔ．３０信号を送信するまでの待ち時間を、
前記相手先装置がＩＴＵ−Ｔ勧告Ｔ．３８準拠の通信端末装置である場合には、第１の待ち時間に設定し、
前記相手先装置がＩＴＵ−Ｔ勧告Ｔ．３８準拠の通信端末装置でない場合には前記第１の待ち時間より長い第２の待ち時間に設定し、
前記相手先装置からパケット化Ｔ．３０信号を受信すると、その受信した信号について前記設定された待ち時間待った後、当該受信した信号に応じたパケット化Ｔ．３０信号を送信する
ことを特徴とする通信端末装置の制御方法。
【請求項１５】
パケット網を介したＩＴＵ−Ｔ勧告Ｔ．３８に基づいたやりとりにより相手先装置と通信を行う通信端末装置の制御方法において、
前記相手先装置に対してパケット化Ｔ．３０信号を送信してからその信号に応じたパケット化Ｔ．３０信号を受信するまでの待ち時間を、
前記相手先装置がＩＴＵ−Ｔ勧告Ｔ．３８準拠のゲートウェイ装置である場合に前記相手先装置が電話回線を介してＧ３ファクシミリ装置との間でモデム信号化されたＴ．３０信号をやりとりするために生じる遅延を考慮した時間に設定し、
前記相手先装置に対してパケット化Ｔ．３０信号を送信した後、当該送信した信号について前記設定された待ち時間が経過するまで、当該送信した信号に応じたパケット化Ｔ．３０信号の受信を待つ
ことを特徴とするネットワークファクシミリ装置の制御方法。
【請求項１６】
パケット網を介したＩＴＵ−Ｔ勧告Ｔ．３８に基づいたやりとりにより相手先装置と通信を行う通信端末装置の制御方法において、
前記相手先装置からパケット化Ｔ．３０信号を受信してからその受信した信号に応じたパケット化Ｔ．３０信号を送信するまでの待ち時間を、
前記相手先装置がＩＴＵ−Ｔ勧告Ｔ．３８準拠のゲートウェイ装置である場合に前記相手先装置が電話回線を介してＧ３ファクシミリ装置との間でモデム信号化されたＴ．３０信号をやりとりするために生じる遅延を考慮した時間に設定し、
前記相手先装置からパケット化Ｔ．３０信号を受信すると、その受信した信号について前記設定された待ち時間待った後、当該受信した信号に応じたパケット化Ｔ．３０信号を送信する
ことを特徴とする通信端末装置の制御方法。
【請求項１７】
前記待ち時間を、前記相手先装置との間でやりとりされる各Ｔ．３０信号ごとに設定することを特徴とする請求項１３ないし１６のいずれかに記載の通信端末装置の制御方法。
【請求項１８】
各相手先毎の待ち時間を予め記憶した相手先別待ち時間設定テーブルを有し、前記待ち時間を、現在通信中の相手先に対応して前記相手先別待ち時間設定テーブルに記憶されている待ち時間に設定することを特徴とする請求項１３ないし１６のいずれかに記載の通信端末装置の制御方法。
【請求項１９】
前記相手先装置との間の通信途中に通信断となった場合に、前記待ち時間をそれまでの設定時間よりも長めに設定変更することを特徴とする請求項１３ないし１６のいずれかに記載の通信端末装置の制御方法。
【請求項２０】
パケット化されたディジタル送信命令信号ＤＣＳを送信してから受信準備確認信号ＣＦＲを受信するまでの待ち時間を、前記相手先装置がＩＴＵ−Ｔ勧告Ｔ．３８準拠のゲートウェイ装置である場合に前記相手先装置が電話回線を介してＧ３ファクシミリ装置にモデム信号化されたトレーニングチェック信号ＴＣＦを送信し、それに対して前記Ｇ３ファクシミリ装置からモデム信号化された受信準備確認信号ＣＦＲを受信するために生じる遅延を考慮した時間に設定することを特徴とする請求項１３または１５のいずれかに記載の通信端末装置の制御方法。
【請求項２１】
前記相手先装置からパケット化されたディジタル送信命令信号ＤＣＳを受信してから受信準備確認信号ＣＦＲを送信するまでの待ち時間を、前記相手先装置がＩＴＵ−Ｔ勧告Ｔ．３８準拠のゲートウェイ装置である場合に前記相手先装置が電話回線を介してＧ３ファクシミリ装置からモデム信号化されたトレーニングチェック信号ＴＣＦを受信するために要する時間を考慮した時間に設定することを特徴とする請求項１４または１６のいずれかに記載の通信端末装置の制御方法。
【請求項２２】
切断命令信号ＤＣＮを送信してから、前記パケット網を介した通信のセッションをクローズするまでの待ち時間を、前記相手先装置がＩＴＵ−Ｔ勧告Ｔ．３８準拠のゲートウェイ装置である場合に前記相手先装置が電話回線を介してＧ３ファクシミリ装置にモデム信号化された切断命令信号ＤＣＮを送信するために要する時間を考慮した時間に設定する一方、前記切断命令信号ＤＣＮを前記相手先装置に送信してから前記設定された、切断命令信号ＤＣＮを送信してから、前記パケット網を介した通信のセッションをクローズするまでの待ち時間待った後に、前記相手先装置との間の通信のセッションをクローズすることを特徴とする請求項１３または１５のいずれかに記載の通信端末装置の制御方法。
【請求項２３】
前記相手先装置に対してパケット化Ｔ．３０信号を送信してからその信号に応じたパケット化Ｔ．３０信号を受信するまでの待ち時間を、
前記相手先装置がＩＴＵ−Ｔ勧告Ｔ．３８準拠のゲートウェイ装置である場合には、前記相手先装置がゲートウェイ装置である場合に前記相手先装置が電話回線を介してＧ３ファクシミリ装置とモデム信号化されたＴ．３０信号をやりとりするために生じる遅延を考慮した時間に設定する一方、
前記相手先装置がＩＴＵ−Ｔ勧告Ｔ．３８準拠の通信端末装置である場合には、前記相手先装置がＩＴＵ−Ｔ勧告Ｔ．３８準拠のゲートウェイ装置である場合に前記相手先装置が電話回線を介してＧ３ファクシミリ装置とモデム信号化されたＴ．３０信号をやりとりするために生じる遅延を考慮しない時間に設定する
ことを特徴とする請求項１３または１５のいずれかに記載の通信端末装置の制御方法。
【請求項２４】
前記相手先装置からパケット化Ｔ．３０信号を受信してからその受信した信号に応じたパケット化Ｔ．３０信号を送信するまでの待ち時間を、
前記相手先装置がＩＴＵ−Ｔ勧告Ｔ．３８準拠のゲートウェイ装置である場合には、前記相手先装置がゲートウェイ装置である場合に前記相手先装置が電話回線を介してＧ３ファクシミリ装置とモデム信号化されたＴ．３０信号をやりとりするために生じる遅延を考慮した時間に設定する一方、
前記相手先装置がＩＴＵ−Ｔ勧告Ｔ．３８準拠の通信端末装置である場合には、前記相手先装置がＩＴＵ−Ｔ勧告Ｔ．３８準拠のゲートウェイ装置である場合に前記相手先装置が電話回線を介してＧ３ファクシミリ装置とモデム信号化されたＴ．３０信号をやりとりするために生じる遅延を考慮しない時間に設定する
ことを特徴とする請求項１４または１６のいずれかに記載の通信端末装置の制御方法。
【請求項２５】
パケット網を介したＩＴＵ−Ｔ勧告Ｔ．３８に基づいたやりとりにより相手先装置と通信端末装置とが通信を行う通信システムにおいて、
前記通信端末装置は、
前記相手先装置に対してパケット化Ｔ．３０信号を送信してからその信号に応じたパケット化Ｔ．３０信号を受信するまでの待ち時間を、前記相手先装置がＩＴＵ−Ｔ勧告Ｔ．３８準拠の通信端末装置である場合には、第１の待ち時間に設定し、前記相手先装置がＩＴＵ−Ｔ勧告Ｔ．３８準拠の通信端末装置でない場合には前記第１の待ち時間より長い第２の待ち時間に設定する待ち時間設定手段と、
前記相手先装置に対してパケット化Ｔ．３０信号を送信した後、当該送信した信号について前記待ち時間設定手段により設定された待ち時間が経過するまで、当該送信した信号に応じたパケット化Ｔ．３０信号の受信を待つ信号送受信制御手段と
を備えたことを特徴とする通信システム。
【請求項２６】
パケット網を介したＩＴＵ−Ｔ勧告Ｔ．３８に基づいたやりとりにより相手先装置と通信端末装置とが通信を行う通信システムにおいて、
前記通信端末装置は、
前記相手先装置からパケット化Ｔ．３０信号を受信してからその受信した信号に応じたパケット化Ｔ．３０信号を送信するまでの待ち時間を、前記相手先装置がＩＴＵ−Ｔ勧告Ｔ．３８準拠の通信端末装置である場合には、第１の待ち時間に設定し、前記相手先装置がＩＴＵ−Ｔ勧告Ｔ．３８準拠の通信端末装置でない場合には前記第１の待ち時間より長い第２の待ち時間に設定する待ち時間設定手段と、
前記相手先装置からパケット化Ｔ．３０信号を受信すると、その受信した信号について前記待ち時間設定手段により設定された待ち時間待った後、当該受信した信号に応じたパケット化Ｔ．３０信号を送信する信号送受信制御手段と
を備えたことを特徴とする通信システム。
【請求項２７】
パケット網を介したＩＴＵ−Ｔ勧告Ｔ．３８に基づいたやりとりにより相手先装置と通信端末装置とが通信を行う通信システムにおいて、
前記通信端末装置は、
前記相手先装置に対してパケット化Ｔ．３０信号を送信してからその信号に応じたパケット化Ｔ．３０信号を受信するまでの待ち時間を、前記相手先装置がＩＴＵ−Ｔ勧告Ｔ．３８準拠のゲートウェイ装置である場合に前記相手先装置が電話回線を介してＧ３ファクシミリ装置との間でモデム信号化されたＴ．３０信号をやりとりするために生じる遅延を考慮した時間に設定する待ち時間設定手段と、
前記相手先装置に対してパケット化Ｔ．３０信号を送信した後、当該送信した信号について前記待ち時間設定手段により設定された待ち時間が経過するまで、当該送信した信号に応じたパケット化Ｔ．３０信号の受信を待つ信号送受信制御手段とを備えたことを特徴とする通信システム。
【請求項２８】
パケット網を介したＩＴＵ−Ｔ勧告Ｔ．３８に基づいたやりとりにより相手先装置と通信端末装置とが通信を行う通信システムにおいて、
前記通信端末装置は、
前記相手先装置からパケット化Ｔ．３０信号を受信してからその受信した信号に応じたパケット化Ｔ．３０信号を送信するまでの待ち時間を、前記相手先装置がＩＴＵ−Ｔ勧告Ｔ．３８準拠のゲートウェイ装置である場合に前記相手先装置が電話回線を介してＧ３ファクシミリ装置との間でモデム信号化されたＴ．３０信号をやりとりするために生じる遅延を考慮した時間に設定する待ち時間設定手段と、
前記相手先装置からパケット化Ｔ．３０信号を受信すると、その受信した信号について前記待ち時間設定手段により設定された待ち時間待った後、当該受信した信号に応じたパケット化Ｔ．３０信号を送信する信号送受信制御手段とを備えたことを特徴とする通信システム。
【請求項２９】
前記待ち時間設定手段は、前記相手先装置との間でやりとりされる各Ｔ．３０信号ごとに前記待ち時間を設定することを特徴とする請求項２５ないし２８のいずれかに記載の通信システム。
【請求項３０】
前記通信端末装置は、各相手先毎の待ち時間を予め記憶した相手先別待ち時間設定テーブルを更に備え、前記待ち時間設定手段は、前記待ち時間を、現在通信中の相手先に対応して前記相手先別待ち時間設定テーブルに記憶されている待ち時間に設定することを特徴とする請求項２５ないし２８のいずれかに記載の通信システム。
【請求項３１】
前記待ち時間設定手段は、前記相手先装置との間の通信途中に通信断となった場合に、前記待ち時間をそれまでの設定時間よりも長めに設定変更することを特徴とする請求項２５ないし２８のいずれかに記載の通信システム。
【請求項３２】
前記待ち時間設定手段は、パケット化されたディジタル送信命令信号ＤＣＳを送信してから受信準備確認信号ＣＦＲを受信するまでの待ち時間を、前記相手先装置がＩＴＵ−Ｔ勧告Ｔ．３８準拠のゲートウェイ装置である場合に前記相手先装置が電話回線を介してＧ３ファクシミリ装置にモデム信号化されたトレーニングチェック信号ＴＣＦを送信し、それに対して前記Ｇ３ファクシミリ装置からモデム信号化された受信準備確認信号ＣＦＲを受信するために生じる遅延を考慮した時間に設定するものであることを特徴とする請求項２５または２７のいずれかに記載の通信システム。
【請求項３３】
前記待ち時間設定手段は、前記相手先装置からパケット化されたディジタル送信命令信号ＤＣＳを受信してから受信準備確認信号ＣＦＲを送信するまでの待ち時間を、前記相手先装置がＩＴＵ−Ｔ勧告Ｔ．３８準拠のゲートウェイ装置である場合に前記相手先装置が電話回線を介してＧ３ファクシミリ装置からモデム信号化されたトレーニングチェック信号ＴＣＦを受信するために要する時間を考慮した時間に設定するものであることを特徴とする請求項２６または２８のいずれかに記載の通信システム。
【請求項３４】
前記通信端末装置は、切断命令信号ＤＣＮを送信してから、前記パケット網を介した通信のセッションをクローズするまでの待ち時間を、前記相手先装置がＩＴＵ−Ｔ勧告Ｔ．３８準拠のゲートウェイ装置である場合に前記相手先装置が電話回線を介してＧ３ファクシミリ装置にモデム信号化された切断命令信号ＤＣＮを送信するために要する時間を考慮した時間に設定する通信クローズ待ち時間設定手段と、前記切断命令信号ＤＣＮを前記相手先装置に送信してから前記クローズ待ち時間設定手段により設定された待ち時間待った後に、前記相手先装置との間の通信のセッションをクローズする通信クローズ制御手段とを更に備えたことを特徴とする請求項２５または２７のいずれかに記載の通信システム。
【請求項３５】
前記待ち時間設定手段は、
前記相手先装置に対してパケット化Ｔ．３０信号を送信してからその信号に応じたパケット化Ｔ．３０信号を受信するまでの待ち時間を、
前記相手先装置がＩＴＵ−Ｔ勧告Ｔ．３８準拠のゲートウェイ装置である場合には、前記相手先装置がゲートウェイ装置である場合に前記相手先装置が電話回線を介してＧ３ファクシミリ装置とモデム信号化されたＴ．３０信号をやりとりするために生じる遅延を考慮した時間に設定する一方、
前記相手先装置がＩＴＵ−Ｔ勧告Ｔ．３８準拠の通信端末装置である場合には、前記相手先装置がＩＴＵ−Ｔ勧告Ｔ．３８準拠のゲートウェイ装置である場合に前記相手先装置が電話回線を介してＧ３ファクシミリ装置とモデム信号化されたＴ．３０信号をやりとりするために生じる遅延を考慮しない時間に設定するものであることを特徴とする請求項２５または２７のいずれかに記載の通信システム。
【請求項３６】
前記待ち時間設定手段は、
前記相手先装置からパケット化Ｔ．３０信号を受信してからその受信した信号に応じたパケット化Ｔ．３０信号を送信するまでの待ち時間を、
前記相手先装置がＩＴＵ−Ｔ勧告Ｔ．３８準拠のゲートウェイ装置である場合には、前記相手先装置がゲートウェイ装置である場合に前記相手先装置が電話回線を介してＧ３ファクシミリ装置とモデム信号化されたＴ．３０信号をやりとりするために生じる遅延を考慮した時間に設定する一方、
前記相手先装置がＩＴＵ−Ｔ勧告Ｔ．３８準拠の通信端末装置である場合には、前記相手先装置がＩＴＵ−Ｔ勧告Ｔ．３８準拠のゲートウェイ装置である場合に前記相手先装置が電話回線を介してＧ３ファクシミリ装置とモデム信号化されたＴ．３０信号をやりとりするために生じる遅延を考慮しない時間に設定するものであることを特徴とする請求項２６または２８のいずれかに記載の通信システム。
【発明の詳細な説明】
【０００１】
【発明の属する技術分野】
本発明は、通信端末装置及びその制御方法、並びに、通信システムに関する。
【０００２】
【従来の技術】
公衆回線網を介したＧ３ファクシミリ通信は、端末間の能力交換及びリアルタイム性が保証される利点がある反面、通信時間に応じた通信料金が課金されしまう欠点がある。一方、インターネット等のパケット網においては、電子メールによる通信がよく用いられる。しかし、電子メールによるネットワーク通信は、通信料金が基本的に無料であるという利点がある反面、送信側端末と受信側端末との間にメールサーバが介在して、送信側端末からメールサーバへの電子メールの送信と、受信側端末のメールサーバからの自装置宛電子メールの受信とが、互いに独立した動作となる、端末間の能力交換及びリアルタイム性が保証されない。
【０００３】
そのため、例えば、送信側端末から電子メールにより送信した文書データの形式（ファイル形式、符号化形式、解像度等）に、受信側端末が未対応であるために、送信側端末における文書データの電子メールによる送信は成功したのに、受信側端末において受信文書データを正しく処理できず、結果的に文書データの送信が失敗に終わってしまうという欠点があった。
【０００４】
そこで、公衆電話網を介したファクシミリ通信の利点である端末間の能力交換及びリアルタイム性と、ネットワークを介した通信の、通信料金がかからないという利点とを両立した通信形態として、１９９９年４月に、パケット化したＴ．３０信号をパケット網上でやり取りするためのＩＴＵ−Ｔ勧告Ｔ．３８が制定された。
【０００５】
この勧告Ｔ．３８に基づいた通信を行うことにより、端末間のファクシミリ通信に関する能力交換および通信のリアルタイム性が保証された通信をネットワーク上で行うことができるようになった。
【０００６】
勧告Ｔ．３８に従うネットワーク端末（Ｔ．３８端末）には、ネットワーク直結型のＩＡＦ（Internet Aware Fax）タイプと、専用線や公衆回線等の電話網へリアルタイムに転送するＧＷ（Gateway：ゲートウェイ）タイプとの２種類が存在する。
【０００７】
ＩＡＦタイプの端末は、いわば、相手端末（ＩＡＦまたはＧＷ）との間でパケット化されたＴ．３０信号をリアルタイムでやりとりして、自装置が相手端末にとっての最終宛先として文書データを受信するネットワークファクシミリ装置である。
【０００８】
一方、ＧＷタイプの端末は、ネットワークを介して相手端末（ＩＡＦまたはＧＷ）から受信したパケットから抽出したＴ．３０信号をモデム信号に変換して電話網を介して最終宛先となるＧ３ファクシミリ装置へ転送し、また電話網を介して前記Ｇ３ファクシミリ装置からモデム信号として受信したＴ．３０信号をパケット化してネットワークを介して相手端末に転送することで、ネットワーク上のＴ．３８端末と電話網上の従来型のファクシミリ装置との間でのリアルタイム通信を可能とするものである。
【０００９】
【発明が解決しようとする課題】
ＩＡＦタイプのＴ．３８端末としてのネットワークファクシミリ装置は、パケット網を介した相手先装置との間でパケット化されたＴ．３０信号をやりとりするが、その相手先装置が、ＧＷタイプのＴ．３８端末である場合に、その相手先装置が、自機と同様のＩＡＦタイプのＴ．３８端末である場合と同じタイミングでパケット化されたＴ．３０信号を送信または受信すると、送信信号が相手先装置から送信されてくる信号と衝突したり、送信信号に対する応答して相手先装置から送信されてくる信号を時間内に受信できず再送が繰り返されてしまい、通信が中断されてしまうという問題点があった。
【００１０】
それは、相手先のＧＷタイプのＴ．３８端末におけるＴ．３０信号のパケットからモデム信号またはモデム信号からパケットへの相互変換にある程度の時間を要し、また、相手先のＧＷタイプのＴ．３８端末と電話網を介した従来型のファクシミリ装置との間のＴ．３０信号のモデム信号によりやりとりに要する時間が、パケット網上でのパケットによりＴ．３０信号のやりとりに要する時間よりもずっと長いためである。
【００１１】
本発明は係る事情に鑑みてなされたものであり、パケット網を介したリアルタイムネットワークファクシミリ通信の相手先装置が、ＩＴＵ−Ｔ勧告Ｔ．３８準拠のゲートウェイ装置となった場合でも、相手先装置がＩＴＵ−Ｔ勧告Ｔ．３８準拠の通信端末装置である場合と同様な正常な通信を行うことができる通信端末装置及びその制御方法、並びに、通信システムを提供することを目的とする。
【００１２】
【課題を解決するための手段】
請求項１に記載の通信端末装置は、パケット網を介したＩＴＵ−Ｔ勧告Ｔ．３８に基づいたやりとりにより相手先装置と通信を行う通信端末装置において、前記相手先装置に対してパケット化Ｔ．３０信号を送信してからその信号に応じたパケット化Ｔ．３０信号を受信するまでの待ち時間を、前記相手先装置がＩＴＵ−Ｔ勧告Ｔ．３８準拠の通信端末装置である場合には、第１の待ち時間に設定し、前記相手先装置がＩＴＵ−Ｔ勧告Ｔ．３８準拠の通信端末装置でない場合には前記第１の待ち時間より長い第２の待ち時間に設定する待ち時間設定手段と、前記相手先装置に対してパケット化Ｔ．３０信号を送信した後、当該送信した信号について前記待ち時間設定手段により設定された待ち時間が経過するまで、当該送信した信号に応じたパケット化Ｔ．３０信号の受信を待つ信号送受信制御手段とを備えたことを特徴とする。
【００１３】
請求項２に記載の通信端末装置は、パケット網を介したＩＴＵ−Ｔ勧告Ｔ．３８に基づいたやりとりにより相手先装置と通信を行う通信端末装置において、前記相手先装置からパケット化Ｔ．３０信号を受信してからその受信した信号に応じたパケット化Ｔ．３０信号を送信するまでの待ち時間を、前記相手先装置がＩＴＵ−Ｔ勧告Ｔ．３８準拠の通信端末装置である場合には、第１の待ち時間に設定し、前記相手先装置がＩＴＵ−Ｔ勧告Ｔ．３８準拠の通信端末装置でない場合には前記第１の待ち時間より長い第２の待ち時間に設定する待ち時間設定手段と、前記相手先装置からパケット化Ｔ．３０信号を受信すると、その受信した信号について前記待ち時間設定手段により設定された待ち時間待った後、当該受信した信号に応じたパケット化Ｔ．３０信号を送信する信号送受信制御手段とを備えたことを特徴とする。
【００１４】
請求項３に記載の通信端末装置は、パケット網を介したＩＴＵ−Ｔ勧告Ｔ．３８に基づいたやりとりにより相手先装置と通信を行う通信端末装置において、前記相手先装置に対してパケット化Ｔ．３０信号を送信してからその信号に応じたパケット化Ｔ．３０信号を受信するまでの待ち時間を、前記相手先装置がＩＴＵ−Ｔ勧告Ｔ．３８準拠のゲートウェイ装置である場合に前記相手先装置が電話回線を介してＧ３ファクシミリ装置との間でモデム信号化されたＴ．３０信号をやりとりするために生じる遅延を考慮した時間に設定する待ち時間設定手段と、前記相手先装置に対してパケット化Ｔ．３０信号を送信した後、当該送信した信号について前記待ち時間設定手段により設定された待ち時間が経過するまで、当該送信した信号に応じたパケット化Ｔ．３０信号の受信を待つ信号送受信制御手段とを備えたことを特徴とする。
【００１５】
請求項４に記載の通信端末装置は、において、パケット網を介したＩＴＵ−Ｔ勧告Ｔ．３８に基づいたやりとりにより相手先装置と通信を行う通信端末装置において、前記相手先装置からパケット化Ｔ．３０信号を受信してからその受信した信号に応じたパケット化Ｔ．３０信号を送信するまでの待ち時間を、前記相手先装置がＩＴＵ−Ｔ勧告Ｔ．３８準拠のゲートウェイ装置である場合に前記相手先装置が電話回線を介してＧ３ファクシミリ装置との間でモデム信号化されたＴ．３０信号をやりとりするために生じる遅延を考慮した時間に設定する待ち時間設定手段と、前記相手先装置からパケット化Ｔ．３０信号を受信すると、その受信した信号について前記待ち時間設定手段により設定された待ち時間待った後、当該受信した信号に応じたパケット化Ｔ．３０信号を送信する信号送受信制御手段とを備えたことを特徴とする。
【００１６】
請求項５に記載の通信端末装置は、請求項１ないし４のいずれかに記載の通信端末装置において、前記待ち時間設定手段は、前記相手先装置との間でやりとりされる各Ｔ．３０信号ごとに前記待ち時間を設定することを特徴とする。
【００１７】
請求項６に記載の通信端末装置は、請求項１ないし４のいずれかに記載の通信端末装置において、各相手先毎の待ち時間を予め記憶した相手先別待ち時間設定テーブルを更に備え、前記待ち時間設定手段は、前記待ち時間を、現在通信中の相手先に対応して前記相手先別待ち時間設定テーブルに記憶されている待ち時間に設定することを特徴とする。
【００１８】
請求項７に記載の通信端末装置は、請求項１ないし４のいずれかに記載の通信端末装置において、前記待ち時間設定手段は、前記相手先装置との間の通信途中に通信断となった場合に、前記待ち時間をそれまでの設定時間よりも長めに設定変更することを特徴とする。
【００１９】
請求項８に記載の通信端末装置は、請求項１または３のいずれかに記載の通信端末装置において、前記待ち時間設定手段は、パケット化されたディジタル送信命令信号ＤＣＳを送信してから受信準備確認信号ＣＦＲを受信するまでの待ち時間を、前記相手先装置がＩＴＵ−Ｔ勧告Ｔ．３８準拠のゲートウェイ装置である場合に前記相手先装置が電話回線を介してＧ３ファクシミリ装置にモデム信号化されたトレーニングチェック信号ＴＣＦを送信し、それに対して前記Ｇ３ファクシミリ装置からモデム信号化された受信準備確認信号ＣＦＲを受信するために生じる遅延を考慮した時間に設定するものであることを特徴とする。
【００２０】
請求項９に記載の通信端末装置は、請求項２または４のいずれかに記載の通信端末装置において、前記待ち時間設定手段は、前記相手先装置からパケット化されたディジタル送信命令信号ＤＣＳを受信してから受信準備確認信号ＣＦＲを送信するまでの待ち時間を、前記相手先装置がＩＴＵ−Ｔ勧告Ｔ．３８準拠のゲートウェイ装置である場合に前記相手先装置が電話回線を介してＧ３ファクシミリ装置からモデム信号化されたトレーニングチェック信号ＴＣＦを受信するために要する時間を考慮した時間に設定するものであることを特徴とする。
【００２１】
請求項１０に記載の通信端末装置、請求項１または３のいずれかに記載の通信端末装置において、切断命令信号ＤＣＮを送信してから、前記パケット網を介した通信のセッションをクローズするまでの待ち時間を、前記相手先装置がＩＴＵ−Ｔ勧告Ｔ．３８準拠のゲートウェイ装置である場合に前記相手先装置が電話回線を介してＧ３ファクシミリ装置にモデム信号化された切断命令信号ＤＣＮを送信するために要する時間を考慮した時間に設定する通信クローズ待ち時間設定手段と、前記切断命令信号ＤＣＮを前記相手先装置に送信してから前記クローズ待ち時間設定手段により設定された待ち時間待った後に、前記相手先装置との間の通信のセッションをクローズする通信クローズ制御手段とを更に備えたことを特徴とする。
【００２２】
請求項１１に記載の通信端末装置は、請求項１または３のいずれかに記載の通信端末装置において、前記待ち時間設定手段は、前記相手先装置に対してパケット化Ｔ．３０信号を送信してからその信号に応じたパケット化Ｔ．３０信号を受信するまでの待ち時間を、前記相手先装置がＩＴＵ−Ｔ勧告Ｔ．３８準拠のゲートウェイ装置である場合には、前記相手先装置がゲートウェイ装置である場合に前記相手先装置が電話回線を介してＧ３ファクシミリ装置とモデム信号化されたＴ．３０信号をやりとりするために生じる遅延を考慮した時間に設定する一方、前記相手先装置がＩＴＵ−Ｔ勧告Ｔ．３８準拠の通信端末装置である場合には、前記相手先装置がＩＴＵ−Ｔ勧告Ｔ．３８準拠のゲートウェイ装置である場合に前記相手先装置が電話回線を介してＧ３ファクシミリ装置とモデム信号化されたＴ．３０信号をやりとりするために生じる遅延を考慮しない時間に設定するものであることを特徴とする。
【００２３】
請求項１２に記載の通信端末装置は、請求項２または４のいずれかに記載の通信端末装置において、前記待ち時間設定手段は、前記相手先装置からパケット化Ｔ．３０信号を受信してからその受信した信号に応じたパケット化Ｔ．３０信号を送信するまでの待ち時間を、前記相手先装置がＩＴＵ−Ｔ勧告Ｔ．３８準拠のゲートウェイ装置である場合には、前記相手先装置がゲートウェイ装置である場合に前記相手先装置が電話回線を介してＧ３ファクシミリ装置とモデム信号化されたＴ．３０信号をやりとりするために生じる遅延を考慮した時間に設定する一方、前記相手先装置がＩＴＵ−Ｔ勧告Ｔ．３８準拠の通信端末装置である場合には、前記相手先装置がＩＴＵ−Ｔ勧告Ｔ．３８準拠のゲートウェイ装置である場合に前記相手先装置が電話回線を介してＧ３ファクシミリ装置とモデム信号化されたＴ．３０信号をやりとりするために生じる遅延を考慮しない時間に設定するものであることを特徴とする。
【００２４】
請求項１３に記載の通信端末装置の制御方法は、パケット網を介したＩＴＵ−Ｔ勧告Ｔ．３８に基づいたやりとりにより相手先装置と通信を行う通信端末装置の制御方法において、前記相手先装置に対してパケット化Ｔ．３０信号を送信してからその信号に応じたパケット化Ｔ．３０信号を受信するまでの待ち時間を、前記相手先装置がＩＴＵ−Ｔ勧告Ｔ．３８準拠の通信端末装置である場合には、第１の待ち時間に設定し、前記相手先装置がＩＴＵ−Ｔ勧告Ｔ．３８準拠の通信端末装置でない場合には前記第１の待ち時間より長い第２の待ち時間に設定し、前記相手先装置に対してパケット化Ｔ．３０信号を送信した後、当該送信した信号について前記設定された待ち時間が経過するまで、当該送信した信号に応じたパケット化Ｔ．３０信号の受信を待つことを特徴とする。
【００２５】
請求項１４に記載の通信端末装置の制御方法は、パケット網を介したＩＴＵ−Ｔ勧告Ｔ．３８に基づいたやりとりにより相手先装置と通信を行う通信端末装置の制御方法において、前記相手先装置からパケット化Ｔ．３０信号を受信してからその受信した信号に応じたパケット化Ｔ．３０信号を送信するまでの待ち時間を、前記相手先装置がＩＴＵ−Ｔ勧告Ｔ．３８準拠の通信端末装置である場合には、第１の待ち時間に設定し、前記相手先装置がＩＴＵ−Ｔ勧告Ｔ．３８準拠の通信端末装置でない場合には前記第１の待ち時間より長い第２の待ち時間に設定し、前記相手先装置からパケット化Ｔ．３０信号を受信すると、その受信した信号について前記設定された待ち時間待った後、当該受信した信号に応じたパケット化Ｔ．３０信号を送信することを特徴とする。
【００２６】
請求項１５に記載の通信端末装置の制御方法は、パケット網を介したＩＴＵ−Ｔ勧告Ｔ．３８に基づいたやりとりにより相手先装置と通信を行う通信端末装置の制御方法において、前記相手先装置に対してパケット化Ｔ．３０信号を送信してからその信号に応じたパケット化Ｔ．３０信号を受信するまでの待ち時間を、前記相手先装置がＩＴＵ−Ｔ勧告Ｔ．３８準拠のゲートウェイ装置である場合に前記相手先装置が電話回線を介してＧ３ファクシミリ装置との間でモデム信号化されたＴ．３０信号をやりとりするために生じる遅延を考慮した時間に設定し、前記相手先装置に対してパケット化Ｔ．３０信号を送信した後、当該送信した信号について前記設定された待ち時間が経過するまで、当該送信した信号に応じたパケット化Ｔ．３０信号の受信を待つことを特徴とする。
【００２７】
請求項１６に記載の通信端末装置の制御方法は、パケット網を介したＩＴＵ−Ｔ勧告Ｔ．３８に基づいたやりとりにより相手先装置と通信を行う通信端末装置の制御方法において、前記相手先装置からパケット化Ｔ．３０信号を受信してからその受信した信号に応じたパケット化Ｔ．３０信号を送信するまでの待ち時間を、前記相手先装置がＩＴＵ−Ｔ勧告Ｔ．３８準拠のゲートウェイ装置である場合に前記相手先装置が電話回線を介してＧ３ファクシミリ装置との間でモデム信号化されたＴ．３０信号をやりとりするために生じる遅延を考慮した時間に設定し、前記相手先装置からパケット化Ｔ．３０信号を受信すると、その受信した信号について前記設定された待ち時間待った後、当該受信した信号に応じたパケット化Ｔ．３０信号を送信することを特徴とする。
【００２８】
請求項１７に記載の通信端末装置の制御方法は、請求項１３ないし１６のいずれかに記載の通信端末装置の制御方法において、前記待ち時間を、前記相手先装置との間でやりとりされる各Ｔ．３０信号ごとに設定することを特徴とする。
【００２９】
請求項１８に記載の通信端末装置の制御方法は、請求項１３ないし１６のいずれかに記載の通信端末装置の制御方法において、各相手先毎の待ち時間を予め記憶した相手先別待ち時間設定テーブルを有し、前記待ち時間を、現在通信中の相手先に対応して前記相手先別待ち時間設定テーブルに記憶されている待ち時間に設定することを特徴とする。
【００３０】
請求項１９に記載の通信端末装置の制御方法は、請求項１３ないし１６のいずれかに記載の通信端末装置の制御方法において、前記相手先装置との間の通信途中に通信断となった場合に、前記待ち時間をそれまでの設定時間よりも長めに設定変更することを特徴とする。
【００３１】
請求項２０に記載の通信端末装置の制御方法は、請求項１３または１５のいずれかに記載の通信端末装置の制御方法において、パケット化されたディジタル送信命令信号ＤＣＳを送信してから受信準備確認信号ＣＦＲを受信するまでの待ち時間を、前記相手先装置がＩＴＵ−Ｔ勧告Ｔ．３８準拠のゲートウェイ装置である場合に前記相手先装置が電話回線を介してＧ３ファクシミリ装置にモデム信号化されたトレーニングチェック信号ＴＣＦを送信し、それに対して前記Ｇ３ファクシミリ装置からモデム信号化された受信準備確認信号ＣＦＲを受信するために生じる遅延を考慮した時間に設定することを特徴とする。
【００３２】
請求項２１に記載の通信端末装置の制御方法は、請求項１４または１６のいずれかに記載の通信端末装置の制御方法において、前記相手先装置からパケット化されたディジタル送信命令信号ＤＣＳを受信してから受信準備確認信号ＣＦＲを送信するまでの待ち時間を、前記相手先装置がＩＴＵ−Ｔ勧告Ｔ．３８準拠のゲートウェイ装置である場合に前記相手先装置が電話回線を介してＧ３ファクシミリ装置からモデム信号化されたトレーニングチェック信号ＴＣＦを受信するために要する時間を考慮した時間に設定することを特徴とする。
【００３３】
請求項２２に記載の通信端末装置の制御方法は、請求項１３または１５のいずれかに記載の通信端末装置の制御方法において、切断命令信号ＤＣＮを送信してから、前記パケット網を介した通信のセッションをクローズするまでの待ち時間を、前記相手先装置がＩＴＵ−Ｔ勧告Ｔ．３８準拠のゲートウェイ装置である場合に前記相手先装置が電話回線を介してＧ３ファクシミリ装置にモデム信号化された切断命令信号ＤＣＮを送信するために要する時間を考慮した時間に設定する一方、前記切断命令信号ＤＣＮを前記相手先装置に送信してから前記設定された、切断命令信号ＤＣＮを送信してから、前記パケット網を介した通信のセッションをクローズするまでの待ち時間待った後に、前記相手先装置との間の通信のセッションをクローズすることを特徴とする。
【００３４】
請求項２３に記載の通信端末装置の制御方法は、請求項１３または１５のいずれかに記載の通信端末装置の制御方法において、前記相手先装置に対してパケット化Ｔ．３０信号を送信してからその信号に応じたパケット化Ｔ．３０信号を受信するまでの待ち時間を、前記相手先装置がＩＴＵ−Ｔ勧告Ｔ．３８準拠のゲートウェイ装置である場合には、前記相手先装置がゲートウェイ装置である場合に前記相手先装置が電話回線を介してＧ３ファクシミリ装置とモデム信号化されたＴ．３０信号をやりとりするために生じる遅延を考慮した時間に設定する一方、前記相手先装置がＩＴＵ−Ｔ勧告Ｔ．３８準拠の通信端末装置である場合には、前記相手先装置がＩＴＵ−Ｔ勧告Ｔ．３８準拠のゲートウェイ装置である場合に前記相手先装置が電話回線を介してＧ３ファクシミリ装置とモデム信号化されたＴ．３０信号をやりとりするために生じる遅延を考慮しない時間に設定することを特徴とする。
【００３５】
請求項２４に記載の通信端末装置の制御方法、請求項１４または１６のいずれかに記載の通信端末装置の制御方法において、前記相手先装置からパケット化Ｔ．３０信号を受信してからその受信した信号に応じたパケット化Ｔ．３０信号を送信するまでの待ち時間を、前記相手先装置がＩＴＵ−Ｔ勧告Ｔ．３８準拠のゲートウェイ装置である場合には、前記相手先装置がゲートウェイ装置である場合に前記相手先装置が電話回線を介してＧ３ファクシミリ装置とモデム信号化されたＴ．３０信号をやりとりするために生じる遅延を考慮した時間に設定する一方、前記相手先装置がＩＴＵ−Ｔ勧告Ｔ．３８準拠の通信端末装置である場合には、前記相手先装置がＩＴＵ−Ｔ勧告Ｔ．３８準拠のゲートウェイ装置である場合に前記相手先装置が電話回線を介してＧ３ファクシミリ装置とモデム信号化されたＴ．３０信号をやりとりするために生じる遅延を考慮しない時間に設定することを特徴とする。
【００３６】
請求項２５に記載の通信システムは、パケット網を介したＩＴＵ−Ｔ勧告Ｔ．３８に基づいたやりとりにより相手先装置と通信端末装置とが通信を行う通信システムにおいて、前記通信端末装置は、前記相手先装置に対してパケット化Ｔ．３０信号を送信してからその信号に応じたパケット化Ｔ．３０信号を受信するまでの待ち時間を、前記相手先装置がＩＴＵ−Ｔ勧告Ｔ．３８準拠の通信端末装置である場合には、第１の待ち時間に設定し、前記相手先装置がＩＴＵ−Ｔ勧告Ｔ．３８準拠の通信端末装置でない場合には前記第１の待ち時間より長い第２の待ち時間に設定する待ち時間設定手段と、前記相手先装置に対してパケット化Ｔ．３０信号を送信した後、当該送信した信号について前記待ち時間設定手段により設定された待ち時間が経過するまで、当該送信した信号に応じたパケット化Ｔ．３０信号の受信を待つ信号送受信制御手段とを備えたことを特徴とする。
【００３７】
請求項２６に記載の通信システムは、パケット網を介したＩＴＵ−Ｔ勧告Ｔ．３８に基づいたやりとりにより相手先装置と通信端末装置とが通信を行う通信システムにおいて、前記通信端末装置は、前記相手先装置からパケット化Ｔ．３０信号を受信してからその受信した信号に応じたパケット化Ｔ．３０信号を送信するまでの待ち時間を、前記相手先装置がＩＴＵ−Ｔ勧告Ｔ．３８準拠の通信端末装置である場合には、第１の待ち時間に設定し、前記相手先装置がＩＴＵ−Ｔ勧告Ｔ．３８準拠の通信端末装置でない場合には前記第１の待ち時間より長い第２の待ち時間に設定する待ち時間設定手段と、前記相手先装置からパケット化Ｔ．３０信号を受信すると、その受信した信号について前記待ち時間設定手段により設定された待ち時間待った後、当該受信した信号に応じたパケット化Ｔ．３０信号を送信する信号送受信制御手段とを備えたことを特徴とする通信システム。
【００３８】
請求項２７に記載の通信システムは、において、パケット網を介したＩＴＵ−Ｔ勧告Ｔ．３８に基づいたやりとりにより相手先装置と通信端末装置とが通信を行う通信システムにおいて、前記通信端末装置は、前記相手先装置に対してパケット化Ｔ．３０信号を送信してからその信号に応じたパケット化Ｔ．３０信号を受信するまでの待ち時間を、前記相手先装置がＩＴＵ−Ｔ勧告Ｔ．３８準拠のゲートウェイ装置である場合に前記相手先装置が電話回線を介してＧ３ファクシミリ装置との間でモデム信号化されたＴ．３０信号をやりとりするために生じる遅延を考慮した時間に設定する待ち時間設定手段と、前記相手先装置に対してパケット化Ｔ．３０信号を送信した後、当該送信した信号について前記待ち時間設定手段により設定された待ち時間が経過するまで、当該送信した信号に応じたパケット化Ｔ．３０信号の受信を待つ信号送受信制御手段とを備えたことを特徴とする。
【００３９】
請求項２８に記載の通信システムは、パケット網を介したＩＴＵ−Ｔ勧告Ｔ．３８に基づいたやりとりにより相手先装置と通信端末装置とが通信を行う通信システムにおいて、前記通信端末装置は、前記相手先装置からパケット化Ｔ．３０信号を受信してからその受信した信号に応じたパケット化Ｔ．３０信号を送信するまでの待ち時間を、前記相手先装置がＩＴＵ−Ｔ勧告Ｔ．３８準拠のゲートウェイ装置である場合に前記相手先装置が電話回線を介してＧ３ファクシミリ装置との間でモデム信号化されたＴ．３０信号をやりとりするために生じる遅延を考慮した時間に設定する待ち時間設定手段と、前記相手先装置からパケット化Ｔ．３０信号を受信すると、その受信した信号について前記待ち時間設定手段により設定された待ち時間待った後、当該受信した信号に応じたパケット化Ｔ．３０信号を送信する信号送受信制御手段とを備えたことを特徴とする。
【００４０】
請求項２９に記載の通信システムは、請求項２５ないし２８のいずれかに記載の通信システムにおいて、前記待ち時間設定手段は、前記相手先装置との間でやりとりされる各Ｔ．３０信号ごとに前記待ち時間を設定することを特徴とする。
【００４１】
請求項３０に記載の通信システムは、請求項２５ないし２８のいずれかに記載の通信システムにおいて、前記通信端末装置は、各相手先毎の待ち時間を予め記憶した相手先別待ち時間設定テーブルを更に備え、前記待ち時間設定手段は、前記待ち時間を、現在通信中の相手先に対応して前記相手先別待ち時間設定テーブルに記憶されている待ち時間に設定することを特徴とする。
請求項３１に記載の通信システムは、請求項２５ないし２８のいずれかに記載の通信システムにおいて、前記待ち時間設定手段は、前記相手先装置との間の通信途中に通信断となった場合に、前記待ち時間をそれまでの設定時間よりも長めに設定変更することを特徴とする。
請求項３２に記載の通信システムは、請求項２５または２７のいずれかに記載の通信システムにおいて、前記待ち時間設定手段は、パケット化されたディジタル送信命令信号ＤＣＳを送信してから受信準備確認信号ＣＦＲを受信するまでの待ち時間を、前記相手先装置がＩＴＵ−Ｔ勧告Ｔ．３８準拠のゲートウェイ装置である場合に前記相手先装置が電話回線を介してＧ３ファクシミリ装置にモデム信号化されたトレーニングチェック信号ＴＣＦを送信し、それに対して前記Ｇ３ファクシミリ装置からモデム信号化された受信準備確認信号ＣＦＲを受信するために生じる遅延を考慮した時間に設定するものであることを特徴とする。
請求項３３に記載の通信システムは、請求項２６または２８のいずれかに記載の通信システムにおいて、前記待ち時間設定手段は、前記相手先装置からパケット化されたディジタル送信命令信号ＤＣＳを受信してから受信準備確認信号ＣＦＲを送信するまでの待ち時間を、前記相手先装置がＩＴＵ−Ｔ勧告Ｔ．３８準拠のゲートウェイ装置である場合に前記相手先装置が電話回線を介してＧ３ファクシミリ装置からモデム信号化されたトレーニングチェック信号ＴＣＦを受信するために要する時間を考慮した時間に設定するものであることを特徴とする。
請求項３４に記載の通信システムは、請求項２５または２７のいずれかに記載の通信システムにおいて、前記通信端末装置は、切断命令信号ＤＣＮを送信してから、前記パケット網を介した通信のセッションをクローズするまでの待ち時間を、前記相手先装置がＩＴＵ−Ｔ勧告Ｔ．３８準拠のゲートウェイ装置である場合に前記相手先装置が電話回線を介してＧ３ファクシミリ装置にモデム信号化された切断命令信号ＤＣＮを送信するために要する時間を考慮した時間に設定する通信クローズ待ち時間設定手段と、前記切断命令信号ＤＣＮを前記相手先装置に送信してから前記クローズ待ち時間設定手段により設定された待ち時間待った後に、前記相手先装置との間の通信のセッションをクローズする通信クローズ制御手段とを更に備えたことを特徴とする。
請求項３５に記載の通信システムは、請求項２５または２７のいずれかに記載の通信システムにおいて、前記待ち時間設定手段は、前記相手先装置に対してパケット化Ｔ．３０信号を送信してからその信号に応じたパケット化Ｔ．３０信号を受信するまでの待ち時間を、前記相手先装置がＩＴＵ−Ｔ勧告Ｔ．３８準拠のゲートウェイ装置である場合には、前記相手先装置がゲートウェイ装置である場合に前記相手先装置が電話回線を介してＧ３ファクシミリ装置とモデム信号化されたＴ．３０信号をやりとりするために生じる遅延を考慮した時間に設定する一方、前記相手先装置がＩＴＵ−Ｔ勧告Ｔ．３８準拠の通信端末装置である場合には、前記相手先装置がＩＴＵ−Ｔ勧告Ｔ．３８準拠のゲートウェイ装置である場合に前記相手先装置が電話回線を介してＧ３ファクシミリ装置とモデム信号化されたＴ．３０信号をやりとりするために生じる遅延を考慮しない時間に設定するものであることを特徴とする。
請求項３６に記載の通信システムは、２６または２８のいずれかに記載の通信システムにおいて、前記待ち時間設定手段は、前記相手先装置からパケット化Ｔ．３０信号を受信してからその受信した信号に応じたパケット化Ｔ．３０信号を送信するまでの待ち時間を、前記相手先装置がＩＴＵ−Ｔ勧告Ｔ．３８準拠のゲートウェイ装置である場合には、前記相手先装置がゲートウェイ装置である場合に前記相手先装置が電話回線を介してＧ３ファクシミリ装置とモデム信号化されたＴ．３０信号をやりとりするために生じる遅延を考慮した時間に設定する一方、前記相手先装置がＩＴＵ−Ｔ勧告Ｔ．３８準拠の通信端末装置である場合には、前記相手先装置がＩＴＵ−Ｔ勧告Ｔ．３８準拠のゲートウェイ装置である場合に前記相手先装置が電話回線を介してＧ３ファクシミリ装置とモデム信号化されたＴ．３０信号をやりとりするために生じる遅延を考慮しない時間に設定するものであることを特徴とする。
【００４２】
【発明の実施の形態】
以下、添付図面を参照しながら、本発明の実施の形態を詳細に説明する。
【００４３】
先ず、図１に、本発明の実施の形態に係る、通信端末装置としてのネットワークファクシミリ装置（ＩＡＦ）１を含むネットワークファクシミリ通信システムの接続形態について示す。
【００４４】
同図において、ＩＡＦ１は、ＩＴＵ−Ｔ勧告Ｔ．３８準拠のパケット網直結型のネットワークファクシミリ装置で、パケット網であるインターネット等のＩＰネットワーク５０を介して相手先装置との間でリアルタイムネットワークファクシミリ通信を行う。
【００４５】
ＩＡＦ１とリアルタイムネットワークファクシミリ通信を行う相手先装置としては、ＩＡＦ１と同様のＩＴＵ−Ｔ勧告Ｔ．３８準拠のパケット網直結型のネットワークファクシミリ装置（ＩＡＦ）３０、または、ＩＴＵ−Ｔ勧告Ｔ．３８準拠のゲートウェイ装置とがある。
【００４６】
ＩＴＵ−Ｔ勧告Ｔ．３８準拠のゲートウェイ装置としては、専用の電話回線Ｌｓを介してＧ３ファクシミリ装置４０ａと接続されるターミナルアダプタ（ＴＡ）タイプのゲートウェイ装置であるＴＡ２０ａと、電話網６０を介してＧ３ファクシミリ装置４０ｂと接続される通常のゲートウェイ装置であるＧＷ２０ｂとの２つの形態があるが、ＩＡＦ１からみれば、いずれも、ＩＴＵ−Ｔ勧告Ｔ．３８準拠のゲートウェイ装置とみることができる。
【００４７】
図２にＩＡＦ１のブロック構成を示す。
【００４８】
同図において、ＩＡＦ１は、システム制御部２、ＲＯＭ３、ＲＡＭ４、受信バッファメモリ５、スキャナ６、プロッタ７、ＬＡＮコントローラ８、及び、システムバス９により構成されている。
【００４９】
システム制御部２は、ＲＯＭ３に書き込まれた制御プログラムに従って、ＲＡＭ４を作業領域として使用しながら、装置各部を制御するマイクロコンピュータである。
【００５０】
ＲＯＭ３は、前述したように、システム制御部２が上記装置各部を制御するための制御プログラムが記憶されているリードオンリメモリである。
【００５１】
ＲＡＭ４は、前述したようにシステム制御部２の作業領域として使用されるランダムアクセスメモリである。
【００５２】
受信バッファメモリ５は、受信データを処理完了までバッファリングするためのメモリである。
【００５３】
スキャナ６は、３．８５本／ｍｍ、７．７本／ｍｍ、１５．４本／ｍｍ等の所定の読み取り線密度で原稿画像を読み取って画像データを得るためのものである。
【００５４】
プロッタ７は、受信した画像データを、その線密度に応じて記録出力したり、スキャナ６で読み取った文書データを、その線密度に応じて記録出力（コピー動作）するためのものである。
【００５５】
ＬＡＮコントローラ８は、ＩＰネットワークに接続され、ＬＡＮプロトコルを制御して、ネットワークから受信したデータのデコード、またネットワークへ送信するデータのエンコードを行ったり、送信フレームや受信フレームのバッファリングを行い、そのＬＡＮプロトコル上でシステム制御部２がＴＣＰ／ＩＰプロトコルを制御して、ＩＴＵ−Ｔ勧告Ｔ．３８に基づいたリアルタイムネットワーシステムバス９は、上記各部がデータをやり取りするための信号ラインである。
【００５６】
図３に、図１に示すＴＡ２０ａまたはＧＷ２０ｂとなるゲートウェイ装置２０のブロック構成について示す。
【００５７】
同図において、ゲートウェイ装置２０は、システム制御部２１、ＲＡＭ２２、ＲＯＭ２３、受信バッファメモリ２４、ＬＡＮコントローラ２５、ファクスモデム２６、及び、システムバス２７により構成されている。
【００５８】
システム制御部２１は、ＲＯＭ２３に書き込まれた制御プログラムに従って、ＲＡＭ２２を作業領域として使用しながら、装置各部を制御するマイクロコンピュータである。
【００５９】
ＲＡＭ２２は、前述したようにシステム制御部２１の作業領域として使用されるランダムアクセスメモリである。
【００６０】
ＲＯＭ２３は、前述したように、システム制御部２１が上記装置各部を制御するための制御プログラムが記憶されているリードオンリメモリである。
【００６１】
受信バッファメモリ２４は、受信データを処理完了までバッファリングするためのメモリである。
【００６２】
ＬＡＮコントローラ２５は、ＩＰネットワークに接続され、ＬＡＮプロトコルを制御して、ネットワークから受信したデータのデコード、またネットワークへ送信するデータのエンコードを行ったり、送信フレームや受信フレームのバッファリングを行い、そのＬＡＮプロトコル上でシステム制御部２１がＴＣＰ／ＩＰプロトコルを制御して、ＩＴＵ−Ｔ勧告Ｔ．３８に基づいたリアルタイムネットワークファクシミリ通信を行えるようにするためのものである。
【００６３】
ファクスモデム２６は、Ｇ３ファクシミリモデムで、接続される電話回線に送信するデータを変調する一方、網制御部１３を介して電話網から受信した信号を復調するものである。また、モデム１２は、相手先番号に対応するＤＴＭＦ信号の送出も行う。また、ファクスモデム２０は、網制御機能も備え、回線との接続制御を行う。システムバス２７は、上記各部がデータをやり取りするための信号ラインである。
【００６４】
図４に、パケット網直結型のネットワークファクシミリ装置（ＩＡＦ）と電話回線に接続されたＧ３ファクシミリ装置（図１におけるＧ３ファクシミリ装置４０ａ、４０ｂ等）が、ゲートウェイ装置（図１のＴＡ２０ａ、ＧＷ２０ｂ等）を介して行うリアルタイムネットワークファクシミリ通信のシーケンスについて示す。
【００６５】
同図において、発信側のＩＡＦがＩＴＵ−Ｔ勧告Ｔ．３８に基づいた「ＳＥＴＵＰ」メッセージのパケットをゲートウェイ装置に送信すると（フェーズＦ１ａ）、そのＳＥＴＵＰメッセージを受信したゲートウェイ装置は、「ＳＥＴＵＰ」メッセージ中の「destinationAddress」により通知された宛先電話番号に電話回線を介して発呼する（フェーズＦ１ｂ）。
【００６６】
そのフェーズＦ１ｂに応答したＧ３ＦＡＸはモデム信号により被呼局識別信号ＣＥＤを送出し、ゲートウェイ装置が受信する（フェーズＦ３ｂ）。そのゲートウェイ装置は、モデム信号により受信した被呼局識別信号ＣＥＤの内容をＩＰパケット化して発信元のＩＡＦに送信する（フェーズＦ３ａ）。
【００６７】
同様に、Ｇ３ＦＡＸが送信したディジタル識別信号ＤＩＳがゲートウェイ装置を介してＩＡＦに送信される（フェーズＦ４ｂ、Ｆ４ａ）。
【００６８】
フェーズＦ４ａでディジタル識別信号ＤＩＳを受信したＩＡＦは、ディジタル送信命令信号ＤＣＳを送信し（フェーズＦ５ａ）、ゲートウェイ装置を介してＧ３ＦＡＸにより受信される（フェーズＦ５ｂ）。フェーズＦ４、Ｆ５のやりとりにより互いの通信パラメータが設定されると、ＩＡＦがトレーニングチェック信号ＴＣＦを送信し（フェーズＦ６ａ）、ゲートウェイ装置を介してＧ３ＦＡＸにより受信される（フェーズＦ７ｂ）。
【００６９】
なお、トレーニングチェック信号ＴＣＦは、アナログ信号で情報をやりとりするモデムのトレーニングのための信号であるため、デジタルデータであるパケットにより情報がやりとりされるＩＰネットワークにおいて、トレーニングチェック信号ＴＣＦを送信しても実質的には意味がなく、フェーズＦ６ａのＴＣＦの送信は省かれるケースがあり、本実施の形態に係るＩＡＦ１も、フェーズＦ６ａのＴＣＦの送信は省く。しかし、ＩＡＦ１のＩＰネットワークを介したＴ．３８準拠のリアルタイムネットワークファクシミリ通信の相手先装置がゲートウェイ装置の場合、Ｇ３ＦＡＸとの電話回線を介した通信が不可欠なため、フェーズＦ６ｂのＴＣＦの送信は省くことはできない。
【００７０】
Ｇ３ＦＡＸは、フェーズＦ６ｂにより受信したトレーニング信号により画データ受信のための高速モデムの調整をして、調整が完了すると受信準備確認信号ＣＦＲを送信し（フェーズＦ７ｂ）、ゲートウェイ装置を介してＩＡＦに送信される（フェーズＦ７ａ）。
【００７１】
フェーズＦ７ａで受信準備確認信号ＣＦＲを受信した発信元のＩＡＦは、送信画像データをパケット化して送信し（フェーズＦ８ａ）、それを受信したゲートウェイ装置が、パケット化された画像データをモデム信号に変換してＧ３ＦＡＸに送信する（フェーズＦ８ｂ）。
【００７２】
発信元のＩＡＦは、画像データの送信が終了すると、手順終了信号ＥＯＰをゲートウェイ装置を介してＧ３ＦＡＸに送信する（フェーズＦ９ａ、Ｆ９ｂ）。なお、フェーズＦ９ａは、送信画像データに応じてマルチページ信号ＭＰＳやメッセージ終了信号ＥＯＭとなる場合もある。
【００７３】
一方、Ｇ３ＦＡＸは、メッセージ確認信号ＭＣＦをゲートウェイ装置を介してＩＡＦに送信する（フェーズＦ１０ｂ、Ｆ１０ａ）。
【００７４】
それを受けてＩＡＦは、切断命令信号ＤＣＮをゲートウェイ装置を介してＧ３ＦＡＸに送信する（フェーズＦ１１ａ、Ｆ１１ｂ）。
【００７５】
更にＩＡＦは、「Release complete」メッセージをゲートウェイ装置に送信して通信セッションをクローズする（フェーズＦ１２ａ）、それを受けてゲートウェイ装置は、Ｇ３ＦＡＸとの間の回線を切断する（フェーズＦ１２ｂ）。
【００７６】
このような通信シーケンスにより、ＩＡＦ１がゲートウェイ装置を介してＧ３ファクシミリ装置との間でリアルタイムネットワークファクシミリ通信を行える。
【００７７】
また、ＩＡＦ１が直接相手先のＩＡＦとリアルタイムネットワークファクシミリ通信を行う場合の通信シーケンスは、図４の通信シーケンスにおけるＩＴＵ−Ｔとゲートウェイ装置との間のシーケンスのみで、ゲートウェイ装置とＧ３ＦＡＸとの間の電話回線を介したシステムバスは不要となる。
【００７８】
ＩＡＦ１は、通信相手先がＩＡＦであれば、ＩＰネットワークを介したパケットの交換速度程度の高速な通信が可能で、フェーズＦ１ａないしフェーズＦ１２ａの各信号のやりとりの際の待ち時間は全く不要かまたは極短時間でよい。
【００７９】
しかし、通信相手先がＩＡＦであることを前提とした待ち時間で図４の通信シーケンスを実行したのでは、もし通信相手先がゲートウェイ装置を介したＧ３ファクシミリ装置となった場合に、ゲートウェイ装置とＧ３ファクシミリ装置との間のＴ．３０信号のやりとりの際に生じる信号の遅れに対応できずに、通信エラーとなってしまうおそれがある。
【００８０】
ＩＡＦ１におけるパケット化されたＴ．３０信号の送受信に関する待ち時間としては２種類ある。
【００８１】
１つは、例えば、フェーズＦ９ａで手順終了信号ＥＯＰやマルチページ信号ＭＰＳやメッセージ終了信号ＥＯＭを送信してから、それらの信号に対応する応答信号であるメッセージ確認信号ＭＣＦの受信を待つ際の待ち時間や、ディジタル送信命令信号ＤＣＳを送信してから（ＴＣＦは送信されない）、その信号に対応する受信準備確認信号ＣＦＲの受信を待つ際の待ち時間である。
【００８２】
もう１つは、例えば、ＩＡＦ１が着信側となった場合に、ディジタル送信命令信号ＤＣＳを受信してから（ＴＣＦは受信されない）、受信準備確認信号ＣＦＲを送信するまでに待つ時間である。
【００８３】
それらの２種類の待ち時間は、ＩＡＦ１の通信相手先がＩＡＦであれば、ゼロか極時間でよいが、ＩＡＦ１の通信相手先がゲートウェイ装置の場合には、そのゲートウェイ装置とＧ３ファクシミリ装置との間の電話回線を介したモデム信号によるＴ．３０信号のやりとりにより生じる遅延を考慮しなければならない。
【００８４】
そのため、ＩＡＦ１は、図４に示したシーケンスでリアルタイムネットワークファクシミリ通信を、ＩＰネットワークを介して、ゲートウェイ装置またはＩＡＦを相手先装置として行う場合におけるパケット化Ｔ．３０信号のやりとりの際に、以下説明する信号送受信制御処理を行う。
【００８５】
先ず、ＩＡＦ１がパケット化Ｔ．３０信号を送信してから、その送信した信号に応じたパケット化Ｔ．３０信号を受信する場合の制御処理手順について、手順終了信号ＥＯＰを送信してから、その送信したＥＯＰに応じた信号であるメッセージ確認信号ＭＣＦを受信する場合を例に、図５を参照して説明する。
【００８６】
図５において、通信相手がＩＡＦが否（ゲートウェイ装置）かを判断する（判断１０１）。なお、判断１０１における通信相手がＩＡＦか否かの判断は、図４のフェーズＦ４ａのディジタル識別信号ＤＩＳにより、自端末能力の１つとして、端末の種別がＩＡＦか否かの通知を受けたり、ＩＡＦ１において、予め各通信相手先のＩＰアドレスごとに端末種別を登録しておくことで、現在通信中の通信相手先装置の端末種別を特定すること等により行え、相手端末の種別の判断方法により本発明は限定されるものではない。
【００８７】
さて、判断１０１において、通信相手がＩＡＦである場合には（判断１０１のＹｅｓ）、タイマＴｗａｉｔに、予めＲＯＭ３に設定・記憶していた、待ち時間Ｗｉａｆを設定して（処理１０２）、処理１０４に移行する。
【００８８】
判断１０１において、通信相手がＩＡＦではなくゲートウェイ装置である場合には（判断１０１のＮｏ）、タイマＴｗａｉｔに、予めＲＯＭ３に設定・記憶していた、待ち時間Ｗｉａｆに、待ち時間Ｗｇｗを加算した値を設定して（処理１０３）、処理１０４に移行する。
【００８９】
処理１０２、１０３における待ち時間Ｗｉａｆとしては、図４の通信シーケンスにおけるフェーズＦ９ａとＦ１０ａとによるＩＰネットワークを介したＥＯＰとＭＣＦのやりとりだけを考慮した、ゼロまたは極短時間が設定される。
【００９０】
また、処理１０３における待ち時間Ｗｇｗとしては、図４の通信シーケンスにおけるフェーズＦ９ｂとＦ１０ｂとによる電話回線を介したＥＯＰとＭＣＦのやりとりによる遅延を考慮した、つまり、少なくとも、その遅延時間（例えば数百ミリ秒）以上の長さの時間が設定される。もっとも、処理１０３において、タイマＴｗａｉｔに設定する時間として、最初から（Ｗｉａｆ＋Ｗｇｗ）に相当する時間を予めＲＯＭ３に設定・記憶しておいて、処理１０３でタイマＴｗａｉｔに設定するようにしてもよいのはいうまでもない。
【００９１】
処理１０３または処理１０４により、通信相手の端末種別に応じた時間をタイマＴｗａｉｔに設定した上で、図４のフェーズＦ９ａに対応した手順終了信号ＥＯＰを送信すると共に（処理１０４）、タイマＴｗａｉｔの計時を開始する（処理１０５）。
【００９２】
そして、メッセージ確認信号ＭＣＦを受信するか、または、タイマＴｗａｉｔがタイムアウトするかを監視し（判断１０６のＮｏ、判断１０７のＮｏのループ）、メッセージ確認信号ＭＣＦを受信する前に、タイマＴｗａｉｔがタイムアウトした場合には（判断１０７のＹｅｓ）、処理１０４に戻って手順終了信号ＥＯＰの再送信を行うが、タイマＴｗａｉｔがタイムアウトする前に、メッセージ確認信号ＭＣＦを受信した場合には（判断１０６のＹｅｓ）、図４のフェーズ１０ａ以降の次の処理に移行する。
【００９３】
このように、手順終了信号ＥＯＰを送信してからメッセージ確認信号ＭＣＦを受信までの待ち時間（タイマＴｗａｉｔ）を、通信相手がゲートウェイ装置で、そのゲートウェイ装置とＧ３ファクシミリ装置との間の手順終了信号ＥＯＰ及びメッセージ確認信号ＭＣＦのやりとりによる遅延が生じてしまう場合には、その遅延分を考慮した長さに設定するようにしたため、判断１０７がＹｅｓとなって、手順終了信号ＥＯＰの再送信が繰り返されて、結果的に通信エラーとなってしまうようなことがなくなる。
【００９４】
次に、ＩＡＦ１がパケット化Ｔ．３０信号を送信してから、その送信した信号に応じたパケット化Ｔ．３０信号を受信する場合の制御処理手順について、ディジタル送信命令信号ＤＣＳを送信してから、その送信したディジタル送信命令信号ＤＣＳに応じた信号である受信準備確認信号ＣＦＲを受信する場合を例に、図６を参照して説明する。
【００９５】
図６において、通信相手がＩＡＦが否（ゲートウェイ装置）かを判断する（判断２０１）。
【００９６】
判断２０１において、通信相手がＩＡＦである場合には（判断２０１のＹｅｓ）、タイマＴｗａｉｔに、予めＲＯＭ３に設定・記憶していた、待ち時間Ｗｉａｆを設定して（処理２０２）、処理２０４に移行する。
【００９７】
判断２０１において、通信相手がＩＡＦではなくゲートウェイ装置である場合には（判断２０１のＮｏ）、タイマＴｗａｉｔに、予めＲＯＭ３に設定・記憶していた、待ち時間Ｗｉａｆに、待ち時間Ｔｔｃｆを加算した値を設定して（処理２０３）、処理２０４に移行する。
【００９８】
処理２０２、２０３における待ち時間Ｗｉａｆとしては、図４の通信シーケンスにおけるフェーズＦ５ａとＦ７ａとによるＩＰネットワークを介したＤＣＳ（フェーズＦ６ａのＴＣＦは省略される）とＣＦＲのやりとりだけを考慮した、ゼロまたは極短時間が設定される。
【００９９】
また、処理２０３における待ち時間待ち時間Ｔｔｃｆとしては、図４の通信シーケンスにおけるフェーズＦ６ｂによる電話回線を介したトレーニングチェック信号ＴＣＦの送信に要する遅延を考慮した、つまり、少なくとも、その遅延時間（例えば約１５００ミリ秒）以上の長さの時間が設定される。もっとも、処理２０３において、タイマＴｗａｉｔに設定する時間として、最初から（Ｗｉａｆ＋Ｔｔｃｆ）に相当する時間を予めＲＯＭ３に設定・記憶しておいて、処理２０３でタイマＴｗａｉｔに設定するようにしてもよいのはいうまでもない。
【０１００】
処理２０３または処理２０４により、通信相手の端末種別に応じた時間をタイマＴｗａｉｔに設定した上で、図４のフェーズＦ５ａに対応したディジタル送信命令信号ＤＣＳを送信すると共に（処理２０４）、タイマＴｗａｉｔの計時を開始する（処理２０５）。
【０１０１】
そして、受信準備確認信号ＣＦＲを受信するか、または、タイマＴｗａｉｔがタイムアウトするかを監視し（判断２０６のＮｏ、判断２０７のＮｏのループ）、受信準備確認信号ＣＦＲを受信する前に、タイマＴｗａｉｔがタイムアウトした場合には（判断２０７のＹｅｓ）、処理２０４に戻ってディジタル送信命令信号ＤＣＳの再送信を行うが、タイマＴｗａｉｔがタイムアウトする前に、受信準備確認信号ＣＦＲを受信した場合には（判断２０６のＹｅｓ）、図４のフェーズ８ａ以降の次の処理に移行する。
【０１０２】
このように、ディジタル送信命令信号ＤＣＳを送信してから受信準備確認信号ＣＦＲを受信するまでの待ち時間（タイマＴｗａｉｔ）を、通信相手がゲートウェイ装置で、そのゲートウェイ装置とＧ３ファクシミリ装置との間のトレーニングチェック信号ＴＣＦの送信による遅延が生じてしまう場合には、その遅延分を考慮した長さに設定するようにしたため、判断２０７がＹｅｓとなって、ディジタル送信命令信号ＤＣＳの再送信が繰り返されて、結果的に通信エラーとなってしまうようなことがなくなる。
【０１０３】
次に、ＩＡＦ１がパケット化Ｔ．３０信号を受信してから、その受信した信号に応じたパケット化Ｔ．３０信号を送信する場合の制御処理手順について、ＩＡＦ１がゲートウェイ装置またはＩＡＦを相手先装置として着信側となる場合に、ディジタル送信命令信号ＤＣＳを受信してから、その受信したディジタル送信命令信号ＤＣＳに応じた信号である受信準備確認信号ＣＦＲを送信する場合を例に、図７を参照して説明する。
【０１０４】
図７において、ディジタル送信命令信号ＤＣＳの受信を監視し（判断３０１のＮｏのループ）、ディジタル送信命令信号ＤＣＳを受信すると（判断３０１のＹｅｓ）、通信相手がＩＡＦが否（ゲートウェイ装置）かを判断する（判断３０２）。
【０１０５】
判断３０２において、通信相手がＩＡＦである場合には（判断３０２のＹｅｓ）、タイマＴｗａｉｔに、予めＲＯＭ３に設定・記憶していた、待ち時間Ｗｉａｆを設定して（処理３０３）、処理３０５に移行する。
【０１０６】
判断３０２において、通信相手がＩＡＦではなくゲートウェイ装置である場合には（判断３０２のＮｏ）、タイマＴｗａｉｔに、予めＲＯＭ３に設定・記憶していた、待ち時間Ｗｉａｆに、待ち時間Ｔｔｃｆを加算した値を設定して（処理３０４）、処理３０５に移行する。
【０１０７】
処理３０３、３０４における待ち時間Ｗｉａｆとしては、図４の通信シーケンスにおけるフェーズＦ５ａとＦ７ａとによるＩＰネットワークを介したＤＣＳ（フェーズＦ６ａのＴＣＦは省略される）とＣＦＲのやりとり（ただしこの場合ＤＣＳの受信及びＣＦＲの送信はＩＡＦ１が行う）だけを考慮した、ゼロまたは極短時間が設定される。
【０１０８】
また、処理３０４における待ち時間待ち時間Ｔｔｃｆとしては、図４の通信シーケンスにおけるフェーズＦ６ｂに相当する、電話回線を介したトレーニングチェック信号ＴＣＦの送信（この場合Ｇ３ファクシミリ装置からゲートウェイ装置に送信）に要する遅延を考慮した、つまり、少なくとも、その遅延時間（例えば約１５００ミリ秒）以上の長さの時間が設定される。もっとも、処理３０４において、タイマＴｗａｉｔに設定する時間として、最初から（Ｗｉａｆ＋Ｔｔｃｆ）に相当する時間を予めＲＯＭ３に設定・記憶しておいて、処理３０４でタイマＴｗａｉｔに設定するようにしてもよいのはいうまでもない。
【０１０９】
そして、処理３０３または処理３０４により、通信相手の端末種別に応じた時間をタイマＴｗａｉｔに設定した上で、タイマＴｗａｉｔの計時を開始する（処理３０５）。
【０１１０】
そして、タイマＴｗａｉｔがタイムアウトするまで待ち（判断３０６のＮｏのループ）、タイマＴｗａｉｔがタイムアウトすると（判断３０６のＹｅｓ）、受信準備確認信号ＣＦＲを送信し（処理３０７）、次の処理に移行する。
【０１１１】
このように、ディジタル送信命令信号ＤＣＳを受信してから受信準備確認信号ＣＦＲを送信するまでの待ち時間（タイマＴｗａｉｔ）を、通信相手がゲートウェイ装置で、そのゲートウェイ装置とＧ３ファクシミリ装置との間のトレーニングチェック信号ＴＣＦの送信による遅延が生じてしまう場合には、その遅延分を考慮した長さに設定するようにしたため、処理３０７で送信するＣＦＲと、発信元のＧ３ファクシミリ装置からのＴＣＦが衝突してしまうことがなく、通信エラーの発生を防止することができる。
【０１１２】
次に、ＩＡＦ１が図４に示した通信シーケンスのリアルタイムファクシミリ通信の終了時にフェーズＦ１１ａで切断命令信号ＤＣＮを送信してから、「Release complete」メッセージを送信して通信セッションのクローズを行う場合の制御処理手順について、図８を参照して説明する。
【０１１３】
図８において、先ず、通信相手がＩＡＦが否（ゲートウェイ装置）かを判断する（判断４０１）。
【０１１４】
判断４０１において、通信相手がＩＡＦである場合には（判断４０１のＹｅｓ）、タイマＴｗａｉｔに、予めＲＯＭ３に設定・記憶していた、待ち時間Ｗｉａｆを設定して（処理４０２）、処理４０４に移行する。
【０１１５】
判断４０１において、通信相手がＩＡＦではなくゲートウェイ装置である場合には（判断４０１のＮｏ）、タイマＴｗａｉｔに、予めＲＯＭ３に設定・記憶していた、待ち時間Ｗｉａｆに、待ち時間Ｔｄｃｎを加算した値を設定して（処理４０３）、処理４０４に移行する。
【０１１６】
処理４０２、４０３における待ち時間Ｗｉａｆとしては、図４の通信シーケンスにおけるフェーズＦ１１ａ及びＦ１２ａのＩＰネットワークを介した切断命令信号ＤＣＮ及び「Release complete」メッセージの送信だけを考慮した、ゼロまたは極短時間が設定される。
【０１１７】
また、処理４０３における待ち時間待ち時間Ｔｄｃｎとしては、図４の通信シーケンスにおけるフェーズＦ１１ｂに相当する、電話回線を介した切断命令信号ＤＣＮの送信（ゲートウェイ装置からＧ３ファクシミリ装置）に要する遅延を考慮した、つまり、少なくとも、その遅延時間以上の長さの時間が設定される。もっとも、処理４０３において、タイマＴｗａｉｔに設定する時間として、最初から（Ｗｉａｆ＋Ｔｄｃｎ）に相当する時間を予めＲＯＭ３に設定・記憶しておいて、処理４０３でタイマＴｗａｉｔに設定するようにしてもよいのはいうまでもない。
【０１１８】
そして、処理４０２または処理４０３により、通信相手の端末種別に応じた時間をタイマＴｗａｉｔに設定した上で、切断命令信号ＤＣＮを送信すると共に（処理４０４）、タイマＴｗａｉｔの計時を開始する（処理４０５）。
【０１１９】
そして、タイマＴｗａｉｔがタイムアウトするまで待ち（判断４０６のＮｏのループ）、タイマＴｗａｉｔがタイムアウトすると（判断４０６のＹｅｓ）、「Release complete」メッセージを送信して通信セッションをクローズする。
【０１２０】
このように、切断命令信号ＤＣＮを送信してから「Release complete」メッセージを送信して通信セッションをクローズするまでの待ち時間（タイマＴｗａｉｔ）を、通信相手がゲートウェイ装置で、そのゲートウェイ装置とＧ３ファクシミリ装置との間の切断命令信号ＤＣＮの送信による遅延が生じてしまう場合には、その遅延分を考慮した長さに設定するようにしたため、相手先のゲートウェイ装置が図４のフェーズＦ１１ｂの切断命令信号ＤＣＮを送出中なのに、ＩＡＦ１が処理４０４に対応する図４のフェーズＦ１２ａの「Release complete」メッセージを送信してしてしまって、相手先のゲートウェイ装置が「Release complete」メッセージを正常に認識できないような自体が生じることがなく、通信エラーの発生を防止することができる。
【０１２１】
なお、パケット化Ｔ．３０信号を送信してから、対応するパケット化Ｔ．３０信号を受信するまでの待ち時間や、パケット化Ｔ．３０信号を受信してから、対応するパケット化Ｔ．３０信号を送信するまでの待ち時間は、各Ｔ．３０信号ごとに個別に、各Ｔ．３０信号について最適な待ち時間に設定して、無駄な待ち時間を少なくするようにできるのはいうまでもない。また、それらの待ち時間を、送信時と受信時のそれぞれについて最適な待ち時間に設定して、無駄な待ち時間を少なくするようにできるのはいうまでもない。また、各相手先（ＩＰアドレス）別の最適な待ち時間を予め相手先別の待ち時間設定テーブルとして記憶しておき、現在通信中の相手先に当該テーブルにおいて対応して記憶された待ち時間を設定するようにすることも考えられ、その場合、通信エラーの発生防止や、無駄な待ち時間を少なくすることができる。また、相手先装置との間の通信途中に通信断となった場合に、前記待ち時間をそれまでの設定時間よりも長めに設定変更するようにすることも考えられ、その場合、実際の通信状況に適応的に対応して最適な待ち時間の設定ができるようになり、以後の通信における通信エラーの発生を防止することができると同時に、無駄な待ち時間を少なくすることができるようになる。
【０１２２】
以上説明したように本実施の形態により、通信相手先装置がゲートウェイ装置となる場合でも、通信相手先装置がパケット網直結型のネットワークファクシミリ装置である場合と同様な、パケット化されたＴ．３０信号の受信ミスや送信ミスが生じない正常な通信ができるようになる。
【０１２３】
【発明の効果】
請求項１，１３または２５に係る発明によれば、前記相手先装置に対してパケット化Ｔ．３０信号を送信してからその信号に応じたパケット化Ｔ．３０信号を受信するまでの待ち時間を、前記相手先装置がＩＴＵ−Ｔ勧告Ｔ．３８準拠の通信端末装置である場合には、第１の待ち時間に設定し、前記相手先装置がＩＴＵ−Ｔ勧告Ｔ．３８準拠の通信端末装置でない場合には前記第１の待ち時間より長い第２の待ち時間に設定するようにしたため、前記相手先装置が、ＩＴＵ−Ｔ勧告Ｔ．３８準拠の通信端末装置である場合はいうまでもなく、前記相手先装置がＩＴＵ−Ｔ勧告Ｔ．３８準拠の通信端末装置でない場合でも、前記相手先装置から送信されてくるパケット化Ｔ．３０信号を待ち足らずに受信できず、通信が切断されてしまうようなことがなくなり、パケット網を介したリアルタイムネットワークファクシミリ通信の相手先装置が、ＩＴＵ−Ｔ勧告Ｔ．３８準拠の通信端末装置でない場合でも、相手先装置がＩＴＵ−Ｔ勧告Ｔ．３８準拠の通信端末装置である場合と同様な正常な通信を行うことが可能となる効果が得られる。
【０１２４】
請求項２，１４または２６に係る発明によれば、前記相手先装置からパケット化Ｔ．３０信号を受信してからその受信した信号に応じたパケット化Ｔ．３０信号を送信するまでの待ち時間を、前記相手先装置がＩＴＵ−Ｔ勧告Ｔ．３８準拠の通信端末装置である場合には、第１の待ち時間に設定し、前記相手先装置がＩＴＵ−Ｔ勧告Ｔ．３８準拠の通信端末装置でない場合には前記第１の待ち時間より長い第２の待ち時間に設定するようにしたため、前記相手先装置が、ＩＴＵ−Ｔ勧告Ｔ．３８準拠の通信端末装置である場合はいうまでもなく、前記相手先装置がＩＴＵ−Ｔ勧告Ｔ．３８準拠の通信端末装置でない場合でも、前記相手先装置に送信したパケット化Ｔ．３０信号が前記相手先装置から送信されてくるパケット化Ｔ．３０信号と衝突したりしてしまうようなことがなくなり、パケット網を介したリアルタイムネットワークファクシミリ通信の相手先装置が、ＩＴＵ−Ｔ勧告Ｔ．３８準拠の通信端末装置でない場合でも、相手先装置がＩＴＵ−Ｔ勧告Ｔ．３８準拠の通信端末装置である場合と同様な正常な通信を行うことが可能となる効果が得られる。
【０１２５】
請求項３，１５または２７に係る発明によれば、前記相手先装置に対してパケット化Ｔ．３０信号を送信してからその信号に応じたパケット化Ｔ．３０信号を受信するまでの待ち時間を、前記相手先装置がＩＴＵ−Ｔ勧告Ｔ．３８準拠のゲートウェイ装置である場合に前記相手先装置が電話回線を介してＧ３ファクシミリ装置との間でモデム信号化されたＴ．３０信号をやりとりするために生じる遅延を考慮した時間に設定するようにしたため、前記相手先装置が、ＩＴＵ−Ｔ勧告Ｔ．３８準拠の通信端末装置である場合はいうまでもなく、前記相手先装置がＩＴＵ−Ｔ勧告Ｔ．３８準拠のゲートウェイ装置となった場合でも、前記相手先装置がら送信されてくるパケット化Ｔ．３０信号を待ち足らずに受信できず、通信が切断されてしまうようなことがなくなり、パケット網を介したリアルタイムネットワークファクシミリ通信の相手先装置が、ＩＴＵ−Ｔ勧告Ｔ．３８準拠のゲートウェイ装置となった場合でも、相手先装置がＩＴＵ−Ｔ勧告Ｔ．３８準拠の通信端末装置である場合と同様な正常な通信を行うことが可能となる効果が得られる。
【０１２６】
請求項４，１６または２８に係る発明によれば、前記相手先装置からパケット化Ｔ．３０信号を受信してからその受信した信号に応じたパケット化Ｔ．３０信号を送信するまでの待ち時間を、前記相手先装置がＩＴＵ−Ｔ勧告Ｔ．３８準拠のゲートウェイ装置である場合に前記相手先装置が電話回線を介してＧ３ファクシミリ装置との間でモデム信号化されたＴ．３０信号をやりとりするために生じる遅延を考慮した時間に設定するようにしたため、前記相手先装置が、ＩＴＵ−Ｔ勧告Ｔ．３８準拠の通信端末装置である場合はいうまでもなく、前記相手先装置がＩＴＵ−Ｔ勧告Ｔ．３８準拠のゲートウェイ装置となった場合でも、前記相手先装置に送信したパケット化Ｔ．３０信号が前記相手先装置から送信されてくるパケット化Ｔ．３０信号と衝突したりしてしまうようなことがなくなり、パケット網を介したリアルタイムネットワークファクシミリ通信の相手先装置が、ＩＴＵ−Ｔ勧告Ｔ．３８準拠のゲートウェイ装置となった場合でも、相手先装置がＩＴＵ−Ｔ勧告Ｔ．３８準拠の通信端末装置である場合と同様な正常な通信を行うことが可能となる効果が得られる。
【０１２７】
請求項５，１７または２９に係る発明によれば、前記待ち時間を各Ｔ．３０信号ごとに設定するようにしたため、各Ｔ．３０信号について最適な待ち時間にすることができ、無駄な待ち時間を少なくすることが可能となる効果が得られる。
【０１２８】
請求項６，１８または３０に係る発明によれば、前記待ち時間を相手先毎に設定するようにしたため、各相手先に最適な待ち時間にすることができ、通信エラーの発生防止や、無駄な待ち時間を少なくすることが可能となる効果が得られる。
【０１２９】
請求項７，１９または３１に係る発明によれば、前記相手先装置との間の通信途中に通信断となった場合に、前記待ち時間をそれまでの設定時間よりも長めに設定変更するようにしたため、以後の通信における通信エラーの発生を防止することができると同時に、無駄な待ち時間を少なくすることが可能となる効果が得られる。
【０１３０】
請求項８，２０または３２に係る発明によれば、前記相手先装置にパケット化されたディジタル送信命令信号ＤＣＳを送信後にパケット化された受信準備確認信号ＣＦＲを前記相手先装置から受信するまで待つ際の待ち時間を、本来電話回線を介したファクシミリ通信におけるモデムの調整の為の信号で、モデム調整の不要な、パケット網を介したリアルタイムファクシミリ通信では必須ではないトレーニングチェック信号ＴＣＦ及び受信準備確認信号ＣＦＲのやりとりが、前記相手先装置がゲートウェイ装置であるために、前記相手先装置とＧ３ファクシミリ装置との間で電話回線を介して行われるのに要する時間を加算して設定するようにしたため、前記相手先装置がゲートウェイ装置である場合でも、前記相手先装置からのパケット化された受信準備確認信号ＣＦＲを確実に受信して正常な通信を行うことが可能となる効果が得られる。
【０１３１】
請求項９，２１または３３に係る発明によれば、前記相手先装置からパケット化されたディジタル送信命令信号ＤＣＳを受信してから受信準備確認信号ＣＦＲを送信するまでの待ち時間を、本来電話回線を介したファクシミリ通信におけるモデムの調整の為の信号で、モデム調整の不要な、パケット網を介したリアルタイムファクシミリ通信では必須ではないトレーニングチェック信号ＴＣＦの送信が、前記相手先装置がゲートウェイ装置であるために、前記相手先装置とＧ３ファクシミリ装置との間で電話回線を介して行われるのに要する時間を加算して設定するようにしたため、送信した受信準備確認信号ＣＦＲが送信されてくるトレーニングチェック信号ＴＣＦと衝突することなく、相手先に届き、正常な通信が行うことが可能なる効果が得られる。
【０１３２】
請求項１０、２２または３４に係る発明によれば、前記相手先装置にパケット化された切断命令信号ＤＣＮを送信してから、前記パケット網を介した通信のセッションをクローズするまでの待ち時間を、前記相手先装置がゲートウェイ装置であるために、前記相手先装置とＧ３ファクシミリ装置との間で電話回線を介して行われるの切断命令信号ＤＣＮの送信に要する時間を加算して設定するようにしたため、前記相手先装置がゲートウェイ装置である場合でも、前記相手先装置との間の通信セッションのクローズを確実に行うことが可能となる効果が得られる。
請求項１１，２３または３５に係る発明によれば、実際に通信を行う前記相手先装置が前記ゲートウェイ装置である場合には、電話回線を介したＴ．３０信号のやりとりにより生じる遅延を加算した前記待ち時間を設定するが、実際に通信を行う前記相手先装置が、ＩＴＵ−Ｔ勧告Ｔ．３８準拠の通信端末装置である場合には、そのような遅延を加算しないずっと短時間の前記待ち時間及や待ち時間を設定するようにしたため、パケット網を介したリアルタイムネットワークファクシミリ通信の相手先装置が、前記ゲートウェイ装置となった場合でも、相手先装置がＩＴＵ−Ｔ勧告Ｔ．３８準拠の通信端末装置である場合と同様な正常な通信を行うことが可能となるばかりでなく、前記相手先装置がＩＴＵ−Ｔ勧告Ｔ．３８準拠の通信端末装置である場合には不要な遅延のない通信を行うことが可能となる効果が得られる。
請求項１２，２４または３６に係る発明によれば、実際に通信を行う前記相手先装置が前記ゲートウェイ装置である場合には、電話回線を介したＴ．３０信号のやりとりにより生じる遅延を加算した前記待ち時間を設定するが、実際に通信を行う前記相手先装置が、ＩＴＵ−Ｔ勧告Ｔ．３８準拠の通信端末装置である場合には、そのような遅延を加算しないずっと短時間の前記待ち時間及や待ち時間を設定するようにしたため、パケット網を介したリアルタイムネットワークファクシミリ通信の相手先装置が、前記ゲートウェイ装置となった場合でも、相手先装置がＩＴＵ−Ｔ勧告Ｔ．３８準拠の通信端末装置である場合と同様な正常な通信を行うことが可能となるばかりでなく、前記相手先装置がＩＴＵ−Ｔ勧告Ｔ．３８準拠の通信端末装置である場合には不要な遅延のない通信を行うことが可能となる効果が得られる。
【図面の簡単な説明】
【図１】本発明の実施の形態に係るネットワークファクシミリ装置を含むネットワークファクシミリ通信システムの接続形態について示す図である。
【図２】本発明の実施の形態に係るネットワークファクシミリ装置（ＩＡＦ）のブロック構成を示す図である。
【図３】本発明の実施の形態に係るゲートウェイ装置のブロック構成を示す図である。
【図４】パケット網直結型のネットワークファクシミリ装置（ＩＡＦ）と電話回線に接続されたＧ３ファクシミリ装置とが、ゲートウェイ装置を介して行うリアルタイムネットワークファクシミリ通信のシーケンスについて示す図である。
【図５】本発明の実施の形態に係るネットワークファクシミリ装置におけるＥＯＰ送信・ＭＣＦ受信処理手順について示すフローチャートである。
【図６】本発明の実施の形態に係るネットワークファクシミリ装置におけるＤＣＳ送信・ＣＦＲ受信処理手順について示すフローチャートである。
【図７】本発明の実施の形態に係るネットワークファクシミリ装置におけるＤＣＳ受信・ＣＦＲ送信処理手順について示すフローチャートである。
【図８】本発明の実施の形態に係るネットワークファクシミリ装置におけるＤＣＮ送信・セッションクローズ処理手順について示すフローチャートである。
【符号の説明】
１  ネットワークファクシミリ装置（ＩＡＦ）
２  システム制御部
３  ＲＯＭ
４  ＲＡＭ
５  受信バッファメモリ
６  スキャナ
７  プロッタ
８  ＬＡＮコントローラ
９  システムバス
２０  ゲートウェイ装置
２０ａ  ターミナルアダプタ装置（ＴＡ）
２０ｂ  ゲートウェイ装置（ＧＷ）
２１  システム制御部
２２  ＲＡＭ
２３  ＲＯＭ
２４  受信バッファメモリ
２５  ＬＡＮコントローラ
２６  ファクスモデム
２７  システムバス
３０  ネットワークファクシミリ装置（ＩＡＦ）
４０ａ、４０ｂ  Ｇ３ファクシミリ装置
５０  ＩＰネットワーク
６０  電話網
【図１】
0003857033.tif 000002
【図２】
0003857033.tif 000003
【図３】
0003857033.tif 000004
【図４】
0003857033.tif 000005
【図５】
0003857033.tif 000006
【図６】
0003857033.tif 000007
【図７】
0003857033.tif 000008
【図８】
0003857033.tif 000009